(57)【特許請求の範囲】
【請求項１】
第１の床から当該第１の床よりも高い位置にある第２の床まで延びる階段について、
当該階段の各段の踏面下方には、当該階段の幅方向に延びる集排水管が設けられ、
前記階段は、昇降方向に沿った所定高さを有する階段仕切壁で上り階段部と下り階段部とに区画され、
前記集排水管は、前記上り階段部の踏面に形成された集水用開口から集水し、前記下り階段部の前記上り階段部の踏面よりも低い蹴上面に形成された排水用開口から排水することを特徴とする階段構造。
【請求項２】
第１の床から当該第１の床よりも高い位置にある第２の床まで延びる階段について、
当該階段の各段の踏面下方には、当該階段の幅方向に延びる集排水管が設けられ、
前記階段は、昇降方向に沿って、上り階段部と下り階段部とに区画され、
前記集排水管は、前記上り階段部の踏面に形成された集水用開口から集水し、前記下り階段部の前記上り階段部の踏面よりも低い蹴上面に形成された排水用開口から排水することを特徴とする階段構造。
【請求項３】
第１の床から当該第１の床よりも高い位置にある第２の床まで延びて、昇降方向に沿って上り階段部と下り階段部とに区画された既存の階段と、
当該上り階段部の各段に取り付けられた複数の集排水部材と、を備え、
当該複数の集排水部材は、それぞれ、前記上り階段部の幅方向に延びる管状であり、
前記集排水部材の上面は、前記上り階段部の新たな踏面となり、当該上り階段部の新たな踏面と前記下り階段部の踏面との間には、段差が形成され、
前記集排水部材の側面は、前記上り階段部の新たな蹴上面となり、
前記集排水部材は、上り階段部の幅方向に延びる溝が形成された集排水部材本体と、当該集排水部材本体の上に設けられて前記溝を覆いかつ集水用開口を有するカバー部材と、を備え、
前記集排水部材の溝の端部は、前記段差に位置して外部に開放された排水用開口であり、
前記カバー部材の集水用開口から集水し、前記段差に位置する排水用開口から前記下り階段部に排水することを特徴とする階段構造。
【請求項４】
第１の床から当該第１の床よりも高い位置にある第２の床まで延びて、昇降方向に沿って上り階段部と下り階段部とに区画された既存の階段と、
当該上り階段部の各段に取り付けられた複数の集排水部材と、を備え、
当該複数の集排水部材は、それぞれ、前記上り階段部の幅方向に延びる管状であり、
前記集排水部材の上面は、前記上り階段部の新たな踏面となり、当該上り階段部の新たな踏面と前記下り階段部の踏面との間には、段差が形成され、
前記集排水部材の側面は、前記上り階段部の新たな蹴上面となり、
前記集排水部材は、前記上り階段部の踏面に形成された集水用開口から集水し、前記下り階段部の前記上り階段部の踏面よりも低い蹴上面に形成された排水用開口から排水することを特徴とする階段構造。
【請求項５】
第１の床から当該第１の床よりも高い位置にある第２の床まで延びる階段について、
当該階段の各段の踏面下方には、当該階段の幅方向に延びる集排水管が設けられ、
前記階段は、昇降方向に沿って、上り階段部と下り階段部とに区画され、
前記集排水管は、前記上り階段部から集水し、前記下り階段部に排水することを特徴とする階段構造。
【発明の詳細な説明】
【技術分野】
【０００１】
本発明は、階段構造に関する。詳しくは、地下から地上に向かう階段の構造に関する。
【背景技術】
【０００２】
従来より、地下街や地下道には、地下から地上出入口に通じる階段が設けられる。
大雨が発生すると、この階段を通って地上出入口から地下に水が流れ込み、地下が浸水するおそれがある。この場合、地下にいる人々は、この地上に繋がる階段を上って、迅速に地上に避難する必要があるが、階段に水が流れているため、階段で滑って転倒するおそれがある。
【０００３】
この問題を解決するため、例えば、階段の踏面に浅い横溝および縦溝を設け、さらに、階段の蹴上面に浅い段溝を設ける階段構造が提案されている（特許文献１参照）。
この階段構造によれば、踏面に水が流れても、この水は横溝および縦溝を介して集められ、段溝を通って下方に排出される。したがって、避難者が滑って転倒するのを防止できる。
【先行技術文献】
【特許文献】
【０００４】
【特許文献１】特開２００４−１９７３１６号公報
【発明の概要】
【発明が解決しようとする課題】
【０００５】
ところで、洪水やゲリラ豪雨のような激しい雨により、階段に大量の水が流入すると、特許文献１に示すような浅い溝では水を排出しきれず、溝から水が溢れ出てしまう。そのため、避難者は地下に流れ込む水に逆らって階段を上るようになり、流れ込む水で足元をすくわれたり、足元が見えづらくなって転倒したりするため、迅速に避難できないおそれがあった。
【０００６】
本発明は、大量の水が階段に流入しても、地下にいる人々が迅速に地上に避難できる階段構造を提供することを目的とする。
【課題を解決するための手段】
【０００７】
請求項１に記載の階段構造は、第１の床から当該第１の床よりも高い位置にある第２の床まで延びる階段について、当該階段の各段の踏面下方には、当該階段の幅方向に延びる集排水管が設けられ、前記階段は、昇降方向に沿った所定高さを有する階段仕切壁で上り階段部と下り階段部とに区画され、前記集排水管は、前記上り階段部の踏面に形成された集水用開口から集水し、前記下り階段部の前記上り階段部の踏面よりも低い蹴上面に形成された排水用開口から排水することを特徴とする。
【０００８】
請求項２に記載の階段構造は、第１の床から当該第１の床よりも高い位置にある第２の床まで延びる階段について、当該階段の各段の踏面下方には、当該階段の幅方向に延びる集排水管が設けられ、前記階段は、昇降方向に沿って、上り階段部と下り階段部とに区画され、前記集排水管は、前記上り階段部の踏面に形成された集水用開口から集水し、前記下り階段部の前記上り階段部の踏面よりも低い蹴上面に形成された排水用開口から排水することを特徴とする。
【０００９】
請求項５に記載の階段構造は、第１の床から当該第１の床よりも高い位置にある第２の床まで延びる階段について、当該階段の各段の踏面下方には、当該階段の幅方向に延びる集排水管が設けられ、前記階段は、昇降方向に沿って、上り階段部と下り階段部とに区画され、前記集排水管は、前記上り階段部から集水し、前記下り階段部に排水することを特徴とする。
【００１０】
ここで、集水用開口および排水用開口の形状は特に限定されず、例えば、断面円形状、断面矩形状、スリット状など、どのような形状でもよい。
【００１１】
この発明によれば、上り階段部に流入した水は、集水用開口を通って集排水管内に流れ込む。集排水管内に入った水は、排水用開口を通って下り階段部に排出される。このように、上り階段部の水が下り階段部に排水されるから、避難者は上り階段部を上ることで、流れ込む水で足元をすくわれたり、足元が見えづらくなって転倒したりするのを防いで、迅速に避難できる。
【００１２】
また、下り階段部に排出される水量が多くなると、下り階段部に排出された水が再び上り階段部に流れ込むおそれがある。
しかしながら、この発明によれば、上り階段部と下り階段部とを階段仕切壁で区画したので、この仕切壁により、下り階段部に排出された水が再び上り階段部に流れ込むのを防止できる。
【００１３】
請求項３に記載の階段構造は、第１の床から当該第１の床よりも高い位置にある第２の床まで延びて、昇降方向に沿って上り階段部と下り階段部とに区画された既存の階段と、当該上り階段部の各段に取り付けられた複数の集排水部材と、を備え、当該複数の集排水部材は、それぞれ、前記上り階段部の幅方向に延びる管状であり、前記集排水部材の上面は、前記上り階段部の新たな踏面となり、当該上り階段部の新たな踏面と前記下り階段部の踏面との間には、段差が形成され、前記集排水部材の側面は、前記上り階段部の新たな蹴上面となり、前記集排水部材は、上り階段部の幅方向に延びる溝が形成された集排水部材本体と、当該集排水部材本体の上に設けられて前記溝を覆いかつ集水用開口を有するカバー部材と、を備え、前記集排水部材の溝の端部は、前記段差に位置して外部に開放された排水用開口であり、前記カバー部材の集水用開口から集水し、前記段差に位置する排水用開口から前記下り階段部に排水することを特徴とする。
【００１４】
請求項４に記載の階段構造は、第１の床から当該第１の床よりも高い位置にある第２の床まで延びて、昇降方向に沿って上り階段部と下り階段部とに区画された既存の階段と、当該上り階段部の各段に取り付けられた複数の集排水部材と、を備え、当該複数の集排水部材は、それぞれ、前記上り階段部の幅方向に延びる管状であり、前記集排水部材の上面は、前記上り階段部の新たな踏面となり、当該上り階段部の新たな踏面と前記下り階段部の踏面との間には、段差が形成され、前記集排水部材の側面は、前記上り階段部の新たな蹴上面となり、前記集排水部材は、前記上り階段部の踏面に形成された集水用開口から集水し、前記下り階段部の前記上り階段部の踏面よりも低い蹴上面に形成された排水用開口から排水することを特徴とする。
【００１５】
この発明によれば、上り階段部に流入した水は、集水用開口を通って集排水部材に流れ込み、排水用開口を通って下り階段部に排出される。このように、上り階段部の水が下り階段部に排水されるから、避難者は上り階段部を上ることで、流れ込む水で足元をすくわれたり、足元が見えづらくなって転倒したりするのを防いで、迅速に避難できる。
【００１６】
また、予め集排水部材を製作しておき、この集排水部材を運搬して既存の階段の各段に取り付けるだけで、上り階段部に流入した水を下り階段部に排水できるので、建物の改修工事に容易に適用できる。
【００１７】
ここで、前記第１の床の前記上り階段部側と前記下り階段部側との境界には、所当該床面から定高さを有する仕切壁が設けられることが好ましい。
【００１８】
下り階段部に排出される水量が多くなると、下り階段部に排出された水が再び上り階段部に流れ込むおそれがある。
しかしながら、この発明によれば、第１の床の上り階段部側と下り階段部側との境界に仕切壁を設けたので、この仕切壁により、下り階段部に排出された水が再び上り階段部に流れ込むのを防止できる。
【発明の効果】
【００１９】
本発明によれば、上り階段部の水が下り階段部に排水されるから、避難者は上り階段部を上ることで、流れ込む水で足元をすくわれたり、足元が見えづらくなって転倒したりするのを防いで、迅速に避難できる。
【図面の簡単な説明】
【００２０】
【図１】本発明の第１実施形態に係る階段の斜視図である。
【図２】前記実施形態に係る排水管の斜視図である。
【図３】本発明の第２実施形態に係る階段の斜視図である。
【図４】本発明の第３実施形態に係る階段の斜視図である。
【図５】前記実施形態に係る階段の部分拡大斜視図である。
【図６】本発明の第４実施形態に係る階段の斜視図である。
【図７】本発明の第５実施形態に係る階段の斜視図である。
【図８】前記実施形態に係る階段を構築する手順を説明するための斜視図である。
【図９】本発明の第６実施形態に係る階段の斜視図である。
【発明を実施するための形態】
【００２１】
以下、本発明の実施形態を図面に基づいて説明する。なお、以下の実施形態の説明にあたって、同一構成要件については同一符号を付し、その説明を省略もしくは簡略化する。
〔第１実施形態〕
図１は、本発明の第１実施形態に係る階段１の斜視図である。
階段１は、地下から地上出入口に向かう鉄筋コンクリート造の階段であり、第１の床２から第１の床２よりも高い位置にある第２の床３まで延びている。
この階段１の各段１０は、踏面１１と蹴上面１２とで構成された凸部となっている。
【００２２】
階段１の略中央には、階段１の昇降方向に沿って延びる階段仕切壁４が設けられる。この階段仕切壁４は、階段１の各踏面１１および蹴上面１２から所定高さを有している。
この階段仕切壁４により、階段１は、階段１の昇降方向に沿って、上り階段部２０および下り階段部３０に区画される。
また、階段仕切壁４により、階段１の踏面１１は、上り階段部２０の踏面２１と下り階段部３０の踏面３１とに区画されている。また、階段仕切壁４により、階段１の蹴上面１２も、上り階段部２０の蹴上面２２と下り階段部３０の蹴上面３２とに区画される。
【００２３】
各段１０の踏面１１の下方には、階段１の幅方向に延びる断面矩形状の集排水管４０が設けられている。具体的には、この集排水管４０は、上り階段部２０および下り階段部３０の両方に亘って設けられている。
【００２４】
また、第１の床２の上り階段部２０側と下り階段部３０側との境界には、第１の床２の床面から所定高さを有する鉄筋コンクリート造の床仕切壁５が設けられている。この床仕切壁５は、階段仕切壁に連続して設けられる。
【００２５】
図２は、集排水管４０の斜視図である。図２では、理解の容易のため、階段仕切壁４および一部のグレーチング２３、３３を省略している。
集排水管４０は、上り階段部２０の踏面２１に形成された集水用開口２４から集水し、下り階段部３０の上り階段部２０の踏面２１よりも低い蹴上面３２に形成された排水用開口３４から排水する。
【００２６】
この集排水管４０は、上り階段部２０側に配置されて上方が開放された断面略Ｕ字形状の上り上り階段部側排水管４１と、下り階段部３０側に配置されて側方が開放された断面略Ｃ字形状の下り階段部側排水管４２と、階段仕切壁４の内部に設けられて上り階段部側排水管４１と下り階段部側排水管４２とを連結する矩形筒状の連結管４３と、を備える。
【００２７】
上り階段部側排水管４１の上面は、格子状の鋼製のグレーチング２３で覆われており、これにより、上り階段部２０の踏面２１は、グレーチング２３で構成される。このグレーチング２３は格子状であるため、上り階段部２０の踏面２１から上り階段部側排水管４１の天井面まで貫通する多数の断面矩形状の集水用開口２４が形成され、これら集水用開口２４は、上り階段部２０の踏面２１から上り階段部側排水管４１の内部に至ることになる。
【００２８】
下り階段部側排水管４２の側面は、格子状の鋼製のグレーチング３３で覆われている。これにより、下り階段部３０の蹴上面３２は、グレーチング３３で構成されて、このグレーチング３３は格子状であるため、下り階段部側排水管４２の内壁面から下り階段部３０の蹴上面３２まで貫通する多数の断面矩形状の排水用開口３４が形成され、これら排水用開口３４は、下り階段部側排水管４２の集水用開口２４よりも低い位置から下り階段部３０の上り階段部２０の踏面よりも一段低い踏面３１に至ることになる。
【００２９】
以上の階段１では、図２中矢印で示すように、上り階段部２０に流入した水は、上り階段部２０の踏面２１を構成するグレーチング２３を通って集排水管４０の上り階段部側排水管４１内に流れ込む。上り階段部側排水管４１内に入った水は、連結管４３を通って下り階段部側排水管４２に流れ込み、さらに、下り階段部３０の蹴上面３２を構成するグレーチング３３を通って、下り階段部３０の一段下の踏面３１に排出される。
【００３０】
本実施形態によれば、以下のような効果がある。
（１）上り階段部２０の水が下り階段部３０に排水されるから、避難者は上り階段部２０を上ることで、流れ込む水で足元をすくわれたり、足元が見えづらくなって転倒したりするのを防いで、迅速に避難できる。
【００３１】
（２）上り階段部２０と下り階段部３０とを階段仕切壁４で区画したので、この階段仕切壁４により、下り階段部３０に排出された水が再び上り階段部２０に流れ込むのを防止できる。
【００３２】
（３）第１の床２の上り階段部２０側と下り階段部３０側との境界に床仕切壁５を設けたので、この床仕切壁５により、下り階段部３０に排出された水が再び上り階段部２０側に流れ込むのを防止できる。
【００３３】
〔第２実施形態〕
図３は、本発明の第２実施形態に係る階段１Ａの斜視図である。
本実施形態では、集水用開口２４Ａおよび排水用開口３４Ａの形状、および、仕切壁４、５が設けられていない点が、第１実施形態と異なる。
【００３４】
すなわち、本実施形態では、第１実施形態におけるグレーチング２３、３３が設けられておらず、上り階段部２０の踏面２１および下り階段部３０の蹴上面３２は、コンクリート躯体で構築される。
【００３５】
また、上り階段部２０の最上段１０の踏面２１では、集水用開口２４Ａは、断面円形状であり、上り階段部２０の踏面２１に複数並んで配置される。一方、上り階段部２０の残りの段１０の踏面２１では、集水用開口２４Ａは、階段の幅方向に延びるスリット状となっている。
また、排水用開口３４Ａは、断面円形状であり、下り階段部３０の蹴上面３２に複数並んで配置される。
【００３６】
本実施形態によれば、上述の（１）と同様の効果がある。
【００３７】
〔第３実施形態〕
図４は、本発明の第３実施形態に係る階段１Ｂの斜視図である。
本実施形態では、集水用開口２４Ｂおよび排水用開口３４Ｂの形状、および、仕切壁４、５が設けられていない点が、第１実施形態と異なる。
【００３８】
すなわち、本実施形態では、第１実施形態におけるグレーチング２３、３３が設けられておらず、上り階段部２０の踏面２１および下り階段部３０の蹴上面３２は、コンクリート躯体で構築される。
排水用開口３４Ｂは、水平方向に延びるスリット状であり、下り階段部側排水管４２の内壁面の下端部から下り階段部３０の蹴上面３２の下端部まで貫通して形成される。
【００３９】
図５は、上り階段部２０の部分拡大斜視図である。
上り階段部２０の蹴上面２２には、開閉蓋４４が開閉可能に設けられている。
この開閉蓋４４は、下端縁を回転軸として、上端側が外側に開く構造である。この開閉蓋４４の上端縁と上り階段部２０の段鼻部との間には、水平方向に延びるスリット状の隙間が形成されており、この隙間は、集水用開口２４Ｂとなっている。
これにより、集水用開口２４Ｂは、上り階段部２０の段鼻部から上り階段部側排水管４１の内壁面の上端部まで貫通して形成される。
【００４０】
開閉蓋４４は、以下のように動作する。すなわち、通常、開閉蓋４４は閉鎖されており、上り階段部２０を流れる水は、図５中矢印で示すように、踏面２１から段鼻部を伝って、集水用開口２４Ｂに流入する。
しかしながら、上り階段部２０を流れる水量が増大して、水が集水用開口２４Ｂに流入しきらなくなると（つまりオーバーフローすると）、図５中破線で示すように、開閉蓋４４が開いて集水用開口２４Ｂの幅が拡大する。これにより、集水用開口２４Ｂから上り階段部側排水管４１への流入量を増大させ、オーバーフローを回避する。
【００４１】
本実施形態によれば、上述の（１）と同様の効果がある。
【００４２】
〔第４実施形態〕
図６は、本発明の第４実施形態に係る階段１Ｃの斜視図である。
本実施形態では、排水用開口３４Ｃの形状および下り階段部３０の構造が第１実施形態と異なる。
【００４３】
すなわち、本実施形態では、下り階段部３０は、コンクリート躯体で構築されており、集排水管４０は、第１実施形態における下り階段部側排水管４２および連結管４３を備えていない。また、グレーチング３３も設けられていない。
【００４４】
下り階段部３０の階段仕切壁４側の部分には、切欠き３５が形成されている。
排水用開口３４Ｃは、断面円形状であり、上り階段部側排水管４１の内壁面から階段仕切壁４の下り階段部３０側の切欠き３５に面する側面まで、階段仕切壁４を貫通して形成されている。
【００４５】
本実施形態によれば、上述の（１）〜（３）と同様の効果がある。
【００４６】
〔第５実施形態〕
図７は、本発明の第５実施形態に係る階段１Ｄの斜視図である。
階段１Ｄは、地下から地上出入口に向かう鉄筋コンクリート造の階段であり、第１の床２から第１の床２よりも高い位置にある第２の床３まで延びている。
この階段１Ｄは、第１の床２から第２の床３まで延びる既存の階段５０と、この既存の階段５０の各段１０に設けられた複数の集排水部材６０と、を備える。
【００４７】
既存の階段５０の各段１０は、踏面１１と蹴上面１２とで構成された凸部となっている。また、この既存の階段５０は、昇降方向に沿って上り階段部２０と下り階段部３０とに区画されている。
【００４８】
複数の集排水部材６０は、それぞれ、上り階段部２０の各段１０に設けられており、上り階段部２０の幅方向に延びる管状である。
この集排水部材６０を各段１０に配置することにより、集排水部材６０の上面は、上り階段部２０の新たな踏面７１となり、集排水部材６０の側面は、上り階段部２０の新たな蹴上面７２となる。よって、上り階段部２０の踏面７１と、隣り合う下り階段部３０の踏面１１との間には、段差６８が形成される。
【００４９】
集排水部材６０は、上り階段部２０の幅方向に延びる溝６２が形成された断面略Ｕ字形状のプレキャストコンクリート製の溝状部材６１と、この溝状部材６１の上に設けられて溝６２を覆う格子状のカバー部材としての鋼製のグレーチング６３と、を備える。
【００５０】
これにより、上り階段部２０の踏面７１は、グレーチング６３で構成される。このグレーチング６３は格子状であるため、上り階段部２０の踏面１１から集排水部材６０の天井面まで貫通する多数の断面矩形状の集水用開口６４が形成され、これら集水用開口６４は、上り階段部２０の踏面７１から集排水部材６０の内部に至ることになる。
【００５１】
集排水部材６０の溝６２の端部は、段差６８に位置して外部に開放されて、集排水部材６０の集水用開口６４よりも低い位置から下り階段部３０の上り階段部２０の集水用開口６４よりも一段低い踏面１１に至る排水用開口６５が形成される。
【００５２】
また、第１の床２の上り階段部２０側と下り階段部３０側との境界には、第１の床２の床面から所定高さを有する鉄筋コンクリート造の床仕切壁５が設けられている。この床仕切壁５は、最下段の集排水部材６０の側面に当接している。
【００５３】
以上の階段１Ｄは、以下の手順で構築される。
すなわち、図８に示すように、予め、プレキャストコンクリート製の溝状部材６１と鋼製のグレーチング６３とで集排水部材６０を複数製造しておく。次に、集排水部材６０を現場に運搬し、既存の階段である既存の階段５０の各段１０に載置する。その後、第１の床２上に床仕切壁５を構築する。
【００５４】
以上の階段１Ｄでは、図７中矢印で示すように、上り階段部２０に流入した水は、上り階段部２０の踏面７１を構成するグレーチング６３を通って集排水部材６０内に流れ込む。集排水部材６０内に入った水は、集排水部材６０の溝６２の端部から下り階段部３０の一段下の踏面１１に排出される。
【００５５】
本実施形態によれば、以下のような効果がある。
（４）上り階段部２０の水が下り階段部３０に排水されるから、避難者は上り階段部２０を上ることで、流れ込む水で足元をすくわれたり、足元が見えづらくなって転倒したりするのを防いで、迅速に避難できる。
また、予め集排水部材６０を製作しておき、この集排水部材６０を運搬して既存の階段５０の各段１０に取り付けるだけで、上り階段部２０に流入した水を下り階段部３０に排水できるので、建物の改修工事に容易に適用できる。
【００５６】
（５）第１の床２の上り階段部２０と下り階段部３０との境界に床仕切壁５を設けたので、この階段仕切壁４により、下り階段部３０に排出された水が再び上り階段部２０側に流れ込むのを防止できる。
【００５７】
〔第６実施形態〕
図９は、本発明の第６実施形態に係る階段１Ｅの斜視図である。
本実施形態では、集排水部材６０Ｅの構造が第５実施形態と異なる。
すなわち、本実施形態では、集排水部材６０Ｅは、断面略Ｌ字形状であり、略水平な平板状の水平部６６と、この水平部６６の一端側に略鉛直に設けられた平板状の鉛直部６７と、を備える。
【００５８】
水平部６６は、上り階段部２０の踏面１１から離隔して配置され、鉛直部６７は、上り階段部２０の蹴上面１２から離隔して配置される。これにより、水平部６６の上面は、上り階段部２０の新たな踏面７１となり、鉛直部６７の側面は、上り階段部２０の新たな蹴上面７２となる。
また、集排水部材６０Ｅは、水平部６６、鉛直部６７、上り階段部２０の踏面１１、および上り階段部２０の蹴上面１２で囲まれた管状の空間を形成する。
【００５９】
集水用開口６４Ｅは、水平部６６の上面から下面まで貫通して形成され、排水用開口６５Ｅは、集排水部材６０Ｅの管状の空間の端部が外部に開放されて形成される。
【００６０】
本実施形態によれば、上述の（４）、（５）と同様の効果がある。
【００６１】
なお、本発明は前記実施形態に限定されるものではなく、本発明の目的を達成できる範囲での変形、改良等は本発明に含まれるものである。
【符号の説明】
【００６２】
１、１Ａ、１Ｂ、１Ｃ、１Ｄ、１Ｅ…階段
２…第１の床
３…第２の床
４…階段仕切壁
５…床仕切壁
１０…段
１１…踏面
１２…蹴上面
２０…上り階段部
２１…上り階段部の踏面
２２…上り階段部の蹴上面
２３…グレーチング
２４、２４Ａ、２４Ｂ…集水用開口
３０…下り階段部
３１…下り階段部の踏面
３２…下り階段部の蹴上面
３３…グレーチング
３４、３４Ａ、３４Ｂ、３４Ｃ…排水用開口
３５…切欠き
４０…集排水管
４１…上り階段部側排水管
４２…下り階段部側排水管
４３…連結管
４４…開閉蓋
５０…既存の階段
６０、６０Ｅ…集排水部材
６１…溝状部材
６２…溝
６３…グレーチング（カバー部材）
６４、６４Ｅ…集水用開口
６５、６５Ｅ…排水用開口
６６…水平部
６７…鉛直部
６８…段差
７１…上り階段部の新たな踏面
７２…上り階段部の新たな蹴上面
【図１】
0005605931.tif 000002
【図２】
0005605931.tif 000003
【図３】
0005605931.tif 000004
【図４】
0005605931.tif 000005
【図５】
0005605931.tif 000006
【図６】
0005605931.tif 000007
【図７】
0005605931.tif 000008
【図８】
0005605931.tif 000009
【図９】
0005605931.tif 000010